(57)【特許請求の範囲】
【請求項１】
室内温度を検出する感熱部と該感熱部から延びるリード線とを有する温度センサと、前記温度センサのリード線を制御回路が構成されるプリント基板上に接着し室内温度を検出して空気調和機等の運転を制御する機器において、前記プリント基板には前記リード線の取付け部の周囲にスリットを設けると共に、前記プリント基板上の前記温度センサおよび前記リード線の周囲に区画する立上部を設けたことを特徴とする温度センサを備える制御機器。
【請求項２】
室内温度を検出する感熱部と該感熱部から延びるリード線とを有する温度センサと、前記感熱素子を制御回路が構成されるプリント基板上に接着し室内温度を検出して空気調和機等の運転を制御する機器において、前記プリント基板の感熱素子を接着する周囲に、前記温度センサの雰囲気に応じて温度変化可能な室温検知精度を向上させるためのパターン配線を設けると共に、前記プリント基板上の前記温度センサおよび前記リード線の周囲に区画する立上部を設けたことを特徴とする温度センサを備える制御機器。
【請求項３】
請求項１ないし２に記載の項目の少なくともいずれか１項目に該当する温度センサを備える制御機器。
【発明の詳細な説明】
【０００１】
【発明の属する技術分野】
本発明は、室内の温度等を検出して空気調和機等の運転を制御する機器（リモコン）に関する。
【０００２】
【従来の技術】
例えば、特開平６−８２３１５号公報では、小型、高精度で応答性に優れた温度を検出するセンサを提供する方法が開示されている。
【０００３】
この発明によると、絶縁性セラミックス製の実装シートと、絶縁性セラミックス製のカバーシートと、リード部材とを有している複数のサーミスタ素子を密閉・内蔵したサーミスタ式温度センサの応答性を高める方法が示されている。
【０００４】
【発明が解決しようとする課題】
しかしながら、このような温度センサ本体を改良して温度検知の応答性を高める方法は設計及び製造方法の変更を必要とする為、開発コスト・製造コストの増加は免れなかった。
【０００５】
本発明は、温度センサを取付けるプリント基板にわずかな変更を加えるだけで上述した温度センサの応答性を高める方法を提供するものである。
【０００６】
【課題を解決するための手段】
上記課題を解決するために、請求項１に記載の発明は、室内温度を検出する感熱部と該感熱部から延びるリード線とを有する温度センサと、前記温度センサのリード線を制御回路が構成されるプリント基板上に接着し室内温度を検出して空気調和機等の運転を制御する機器において、前記プリント基板には前記リード線の取付け部の周囲にスリットを設けると共に、前記プリント基板上の前記温度センサおよび前記リード線の周囲に区画する立上部を設けたことである。
【０００７】
請求項１に記載の発明には、次の作用がある。上述の温度センサを取付けたプリント基板は、該プリント基板上に制御回路が構成されており、通電によって制御回路自身が発熱することによりプリント基板を加熱する、この熱は熱伝導によりプリント基板上の温度センサ取付け部へと至り温度センサに影響を与えるため、このプリント基板の温度センサ取付け部周囲にスリットを設けると共に、前記プリント基板上の前記温度センサおよび前記リード線の周囲に区画する立上部を設けることにより、制御回路からプリント基板の熱伝導により伝わる熱を遮断し、室内温度を温度センサで正確に検出する。
【０００８】
請求項２に記載の発明は、室内温度を検出する感熱部ろ該感熱部から延びるリード線とを有する温度センサと、前記感熱素子を制御回路が構成されるプリント基板上に接着し室内温度を検出して空気調和機等の運転を制御する機器において、前記プリント基板の感熱素子を接着する周囲に、室温検知精度を向上させるためのパターン配線を設けると共に、前記プリント基板上の前記温度センサおよび前記リード線の周囲に区画する立上部を設けることである。
【０００９】
請求項２に記載の発明には、次の作用がある。上述の温度センサを取付けたプリント基板は、該プリント基板上の温度センサ取付け部のパターン配線を例えば拡大すると共に、前記プリント基板上の前記温度センサおよび前記リード線の周囲に区画する立上部を設けることにより室温検知精度を向上することができる。
【００１０】
請求項３に記載の発明は、請求項１ないし２に記載の項目の少なくともいずれか１項目に該当する温度センサを備えることである。
【００１１】
請求項３に記載の発明には、次の作用がある。上述の温度センサを取付けたプリント基板は、プリント基板上に取付けた温度センサの周囲にスリットを設ける及び／又はこのプリント基板の温度センサ取付け部のパターン配線を拡大することを組み合わせることにより、温度センサの室温検知精度を向上することができる。
【００１２】
【発明の実施の形態】
次に、本発明の一実施形態を、図面に基づき説明する。
【００１３】
図１は、本発明に係わる温度センサを備えた制御機器（空気調和機の運転を制御するリモコン）の一実施の形態における説明図である。
【００１４】
図１において１はプリント基板で、感熱部２とリード線３からなる温度センサ１０、該温度センサ１０の取付け部パターン４及び制御回路５から構成されており、このプリント基板１は、温度センサ１０の周囲にスリット６が設けられている。
【００１５】
このスリット６を設けた事によりプリント基板１において、制御回路５側から温度センサ１０側への熱伝導を小さく抑えた区画部７が形成されている。従って、プリント基板１上の制御回路５が通電中に発生する熱は区画部７によって温度センサ１０側へ伝わりにくくなり、温度センサ１０の温度検知精度に与える影響度を最小限に食い止める作用を行っている。
【００１６】
図２において、２０は、感熱部２とリード線３からなる温度センサ１０、該温度センサ１０の取付け部パターン２１及び制御回路５からなるプリント基板で、このプリント基板２０は、温度センサ１０の取付け部パターン２１を拡大し、例えばこのパターンを温度特性の良い銅箔等で配線することにより、このプリント基板２０を、温度センサ１０の周囲の雰囲気が、空気の流れの少ない空気調和機のリモコン機器等で使用される場合でも、この取付け部パターン２１が雰囲気に応じて温度変化し温度センサ１０の温度検知精度を向上させることができる。
【００１７】
図３は、本発明の一実施例である空気調和機のリモコンの外観図である。１１は、運転／停止スイッチ１２、冷暖運転切換スイッチ１３、温度設定スイッチ１４、風速切換スイッチ１５等の操作部と、温度を検出する温度センサ１０とが設けられているリモコンの筐体である。このリモコン１１の内部には、本発明の温度センサを備えたプリント基板が内蔵されスリット３０にて室内空気が通風可能なスペース３１が形成され、このスペース３１に図１並びに図２で示すような温度センサ１０が位置している。
【００１８】
図４は、図３に示したリモコンの斜視図である。
【００１９】
図５は、図３に示したリモコンの筐体１１の内部に備えられるプリント基板１の表面における温度センサ１０の取付け状態を示したものであり、感熱部２とリード線３を有する温度センサ１０が、取付け部パターン４の面積を大きくしているとともに、その周囲にスリット６を設けている様子を示している。３２は、室内空気が通風可能なスペース３１を区画するための立上部で、スリット６は、この立上部３２に沿って位置するようになっている。
【００２０】
図６は、図３に示したリモコンの筐体１１の内部に備えられるプリント基板１の裏面における温度センサ１０の取付け状態を示したものであり、感熱部２とリード線部３を有する温度センサ１０が、取付け部パターン４の面積を大きくしているとともに、その周囲にスリット６を設けている様子を示している。
【００２１】
以上、本発明を上記実施の形態に基づいて説明したが、本発明はこれに限定されるものではない。
【００２２】
【発明の効果】
以上のように、請求項１に記載の発明によれば、このプリント基板の温度センサ取付け部周囲にスリットを設けることにより、制御回路部からプリント基板の熱伝導により伝わる熱を遮断することができ、プリント基板にスリットを設けることによる設計／製造するコストは、ほとんど無視できるため安価に温度センサの温度検知精度の向上を図れる。
【００２３】
請求項２に記載の発明によれば、温度センサを取付けたプリント基板は、該プリント基板上の温度センサ取付け部のパターン配線を例えば拡大することにより室温検知精度を向上することができ、パターン配線を拡大することによる設計／製造するコストは、ほとんど無視できるため安価に温度センサの温度検知精度の向上を図れる。
【００２４】
請求項３に記載の発明によれば、温度センサを取付けたプリント基板は、プリント基板上に取付けた温度センサの周囲にスリットを設ける及び／又はこのプリント基板の温度センサ取付け部のパターン配線を拡大することを組み合わせることにより、温度センサの室温検知精度を向上することができる。
【図面の簡単な説明】
【図１】本発明に請求項１に係る温度センサを備えたプリント基板の一実施の形態における説明図である。
【図２】本発明に請求項２に係る温度センサを備えたプリント基板の一実施の形態における説明図である。
【図３】本発明に係る空気調和装置におけるリモコンを示す正面図である。
【図４】図３に示したリモコンの温度センサ部分を示す斜視図である。
【図５】図３に示したリモコン内部に設置したプリント基板の表面図である。
【図６】図３に示したリモコン内部に設置したプリント基板の裏面図である。
【符号の説明】
１    プリント基板
２    感熱部
３    リード線
４    パターン配線
５    制御回路
６    スリット
７    区画部
１０  温度センサ
【図１】
0003995382.tif 000002
【図２】
0003995382.tif 000003
【図３】
0003995382.tif 000004
【図４】
0003995382.tif 000005
【図５】
0003995382.tif 000006
【図６】
0003995382.tif 000007